(57)【要約】【課題】  ベルト調節穴の変形や傷みを防止するとともに、ベルト着脱操作を容易とするベルトバックル及び該ベルトバックルを備えたベルトを提供する。【解決手段】  ベルトの一端を取付ける軸部を備えた枠体と、前記軸部に対して回動可能に取付けられる留金を備えた衣服用ベルトバックルにおいて、前記留金は、前記軸部に対して回動可能に取付けられる杆部と、該杆部の先端に、杆部延長ラインに対して鋭角で起立して設けられる起立掛止部とからなり、前記杆部は、軸部に対して前後方向に移動可能となる移動手段を備え、該移動手段は、長穴状の軸穴と、該長穴状の軸穴内に設けられ、且つバネ付勢される軸押圧手段とを有し、前記留金の起立掛止部は、掛止状態において枠体の表面側に位置し、解除状態において枠体の裏面側に位置する衣服用ベルトバックルを解決手段とする。【選択図】  図３
0003107371.tif 000002
【実用新案登録請求の範囲】
【請求項１】
ベルトの一端を取付ける軸部を備えた枠体と、前記軸部に対して回動可能に取付けられる留金を備えた衣服用ベルトバックルにおいて、
前記留金は、前記軸部に対して回動可能に取付けられる杆部と、該杆部の先端に、杆部延長ラインに対して鋭角で起立して設けられる起立掛止部とからなり、前記杆部は、軸部に対して前後方向に移動可能となる移動手段を備え、
該移動手段は、長穴状の軸穴と、該長穴状の軸穴内に設けられ、且つバネ付勢される軸押圧手段とを有し、
前記留金の起立掛止部は、掛止状態において枠体の表面側に位置し、解除状態において枠体の裏面側に位置することを特徴とする衣服用ベルトバックル。
【請求項２】
前記枠体の軸部は、少なくとも軸部取付位置において、長手方向に亘って、斜め下方に傾斜した傾斜面を備えたことを特徴とする請求項１記載の衣服用ベルトバックル。
【請求項３】
枠体の先端部には、起立掛止部をガイドする曲面状案内部を形成したことを特徴とする請求項１又は２記載の衣服用ベルトバックル。
【請求項４】
曲面状案内部は、軸体又はその外周面にローラー筒を備えたことを特徴とする請求項１、２又は３記載の衣服用ベルトバックル。
【考案の詳細な説明】
【技術分野】
【０００１】
本考案は、衣服の着用時に使用するベルトのバックル（以下、衣服用ベルトバックルという。）に関するものである。
【背景技術】
【０００２】
従来、ベルトの一端を取付ける軸部を備えた枠体と、前記軸部に対して回動可能に取付けられる留金を備えた衣服用ベルトバックルは、装着、取外しの際に、留金を調節用穴に対して係脱するためにベルトの先端を強く屈曲し、更に留金をベルト掛止穴から取外すために強く引張らなければならないものであった。
【０００３】
ベルトの表面は非常に傷がつきやすい上に、予め所定間隔で掛止穴が形成されていて更に耐久性が低下していることから、長期に亘って使用すると、前記したような屈曲や引張り操作によって、ベルトは非常に僅かな期間のうちに消耗し、傷や亀裂、割れ等といった不都合を生じることが多かった。
【０００４】
また上記のように、ベルトの先端を強く屈曲し、更に留金をベルト掛止穴から取外すために強く引張る操作は、ベルトを外す際においても非常に手間であった。
【０００５】
このような不都合を解消しようとするものとして、一部が、帯状のベルト本体を枢支するための枢軸として形成された略環状部材の該枢軸に、前記ベルト本体に設けられた止孔に挿通される止杆(留金)を回動可能に枢支してなる衣服用ベルトバックルであって、上記止杆は、前記枢軸に枢支されている基部と、該基部の先端に設けられた基部枢軸に止杆の回動軌跡面上で回動可能に枢支されている先端部とからなり、前記基部枢軸付近に、止杆の回動方向と同方向の力が与えられた時にのみ、前記先端部が前記基部に対して回動するように構成されていることを特徴とするベルトバックル（例えば、特許文献１参照。）や、
バックルプレートの裏面において、ベルト固定具を結合されたベルト連結軸が前記バックル裏面と所要の間隔を存してバックルプレートの上下両端に形成された側片の端部に枢着されており、該ベルト連結軸とバックルプレートとの間には、前記バックルプレートの側片間に自由に入りうる幅の板状のピンプレートが、前記ベルト連結軸から所定の間隔を隔て、かつ前記バックルプレートとの間にベルトを挿通し得る間隙を有して、該ピンプレート後端部の支軸を前記バックルプレートの側片の端部間に回転自在に枢着されており、該ピンプレートの前記バックルプレート裏面と対面する側の先端面には、ベルト穴に嵌挿される留めピンが突設されていることを特徴とする衣服用ベルトのバックル（例えば、特許文献２参照。）が公知である。
【０００６】
【特許文献１】特開平１０−１７４６０５号公報
【特許文献２】特開昭５５−１１４２０８号公報
【考案の開示】
【考案が解決しようとする課題】
【０００７】
上記特許文献１に係る衣服用ベルトバックルは、止杆内にバネを内蔵し、バネの押圧力によってカム機構を利用した先端部の方向を切り換えるものであり、止杆に対して外部から不慮に力が加わると、止杆が中央から屈曲し、先端部が表面側に容易に突出することとなり、他物に引っ掛ったり、怪我の発生を誘引し、非常に危険であるという欠点があった。
【０００８】
また、ベルトの装着状態においては、止杆を屈曲させることによって、ベルトの先端を強く屈曲することはないものの、湾曲状態で止杆をとする必要があることから、結局着用者がベルトを屈曲することとなりやすく、従来のベルト表面の傷付きや、亀裂、割れ等の発生といった不都合を根本的に解決するには至らないものであった。
【０００９】
一方、上記特許文献２に係る衣服用ベルトバックルは、ベルトを屈曲若しくは湾曲させる必要がない点で優れたものであるが、安全性、及び操作性が著しく犠牲となるものであった。
即ち、安全性に関しては、留めピンを先端面に突設したピンプレートは側端に係合用の突起を備えており、突起が他物に引っ掛ったり、腹部に接触する虞があり、また、操作性に関しては、バックルプレートとベルトとの隙間に指を沿わせて、前記係合用の突起の係合力に抗してバックルプレートを引上げなければならず、非常に手間であった。また、このような引上げ方法自体が着用者の爪を傷めることもあり、更に安全性において問題を生じる。
【００１０】
そして、これら特許文献１及び特許文献２に係る衣服用ベルトバックルは、基本構成において大きく異なるものであり、仮に特許文献２のバックルプレートを枠体としても、また、特許文献１の止杆を特許文献２のようなピンプレートに設けるとしても、考案が成立せず、双方の考案を適用して操作性、ベルトの消耗の防止、安全性を兼ね備えた衣服用ベルトバックルを形成することは不可能であった。
【００１１】
本考案は以上の事情に鑑みてなされたものであり、ベルトの損傷、消耗を極力防止でき、安全で、着脱操作性に優れた、極めて有用な衣服用ベルトバックルを提供することを課題とするものである。
【課題を解決するための手段】
【００１２】
ベルトの一端を取付ける軸部を備えた枠体と、前記軸部に対して回動可能に取付けられる留金を備えた衣服用ベルトバックルにおいて、前記留金は、前記軸部に対して回動可能に取付けられる杆部と、該杆部の先端に、杆部延長ラインに対して鋭角で起立して設けられる起立掛止部とからなり、前記杆部は、軸部に対して前後方向に移動可能となる移動手段を備え、該移動手段は、長穴状の軸穴と、該長穴状の軸穴内に設けられ、且つバネ付勢される軸押圧手段とを有し、前記枠体の軸部は、少なくとも軸部取付位置において、長手方向に亘って、斜め下方に傾斜した傾斜面を備え、前記留金の起立掛止部は、掛止状態において枠体の表面側に位置し、解除状態において枠体の裏面側に位置することを特徴とする衣服用ベルトバックルを、課題を解決するための手段とする。
【考案の効果】
【００１３】
請求項１に係る考案によれば、前記留金は、前記軸部に対して回動可能に取付けられる杆部と、該杆部の先端に、杆部延長ラインに対して鋭角で起立して設けられる起立掛止部とからなり、前記杆部は、軸部に対して前後方向に移動可能となる移動手段を備え、該移動手段は、長穴状の軸穴と、該長穴状の軸穴内に設けられ、且つバネ付勢される軸押圧手段とを有し、前記枠体の軸部は、少なくとも杆部取付位置において、長手方向に亘って、斜め下方に傾斜した傾斜面を備えたものとしたことから、枠体位置のベルトを表面側から内側へ向かって押すだけの極めて簡単な操作で、バネの押圧力に抗して留金が後方へ僅かに移動して、起立掛止部が前記杆部から外れて枠部の裏面側へ移動することとなり、傾斜した起立掛止部がベルトの係止穴の離脱を阻害しないことと、締付けられていたベルトの復元力とによって、自然に留金とベルトの係止穴とが離脱し、全くベルトの端部を湾曲させることなく、ベルトの係合を解くことができるのである。
【００１４】
また、留金の杆部における移動手段は、長穴状の軸穴と、該軸穴内に設けられ、且つバネ付勢される軸押圧手段とを備えたことによって、ベルト装着時において不慮に留金が外れることを防止するとともに、ベルトの係合を解除する際には、軸部に対して留金がスライドすることで、軸部及び留金が不用意に傾くこともなく、正確に解除動作を行なうものとすることができる。
【００１５】
そして、ベルトの掛止は、枠体裏面において起立掛止部を掛止穴に嵌め込んで、起立掛止部を枠体表面側へ押し上げる操作で行うことから、ベルトを湾曲させることなく、また、この際にも、起立掛止部自体が表面側へ大きく突出することがないことから、極めて安全にベルトを装着することができる。
【００１６】
更に、当該構成によって、ベルトの先端を引くことによって、枠体と留金が一体となって軸部を中心として裏向きに反転し、反転した状態で留金とベルトの係止穴とが離脱することによって、第二の方法によるベルトの係合解除が可能であり、ベルトの傷付き等を生じさせずに、好みや状況に応じた係合の解除を、安全に行うことができる。
【００１７】
また、請求項２に係る考案によれば、軸部に斜め下方に傾斜した傾斜面を形成することによって、着脱時にバックルの開放状態を容易に維持することができることから、非常に操作性を向上させることができる。
【００１８】
請求項３に係る考案によれば、枠体の先端部には、起立掛止部をガイドする曲面状案内部を形成することによって、ベルトの着脱操作時に、起立掛止部の当該曲面状案内部に対する滑りを良好とすることとなるから、留金の後方及び裏面側への移動を容易且つ円滑として、着脱操作を容易とすることができる。
【００１９】
また、請求項４に係る考案によれば、ローラーの回動によって、上記留金の後方及び裏面側への移動をより一層容易とすることができる。
【考案を実施するための最良の形態】
【００２０】
本考案は、枠体の軸部に対して回動可能に取付けられる杆部の先端に、杆部延長ラインに対して鋭角で起立して設けられる起立掛止部を設け、更に、杆部は、前後方向に移動可能となる移動手段を備えたことによって、ベルトの端部を湾曲させずベルトの損傷、消耗を極力防止し、安全で、着脱操作性に非常に優れた有用な衣服用ベルトバックルを提供する目的を達成した。
【実施例】
【００２１】
図１は本考案の実施例に係る衣服用ベルトバックル５の掛止状態を示す斜視図、図２は同実施例に係る衣服用ベルトバックル５の脱着状態を示す斜視図、図３は本考案の実施例に係る衣服用ベルトバックル５の掛止状態から脱着状態への移行を示す一部断面とした説明図、図４は同実施例に係る衣服用ベルトバックル５における枠体１を示す平面図及びＡ−Ａ断面図、図５は同実施例に係る衣服用ベルトバックル５における杆部２０を示す平面図及び正面図、図６は同実施例に係る後記杆部本体２６を示す側面図及びＢ−Ｂ断面図、図７は後記カバー２５を示す側面図、平面図及びＣ−Ｃ断面図、図８は本考案の実施例に係る衣服用ベルトバックル５を備えたベルト３（一部省略）を示す平面説明図、図９は本考案の他の実施例に係る衣服用ベルトバックルにおける枠体を示す平面図及びＤ−Ｄ断面図である。
【００２２】
本考案の実施例に係る衣服用ベルトバックル５は、図１乃至図３、及び図８に示すように、ベルト３の一端を取付ける軸部１０を備えた金属製の枠体１と、前記軸部１０に対して回動可能に取付けられる留金２を備え、枠体１の軸部１０に取付けられたベルト３には、該ベルト３の他端であるベルト先端３０を通すためのベルト通し環部３１及び該ベルト通し環部３１を固定するとともにベルトを連結するためのベルト連結体３２を設けてなる一般的な基本構成を有する。ここで、枠体１は、図４に示すように、略平行する二本の側杆１８と該側杆１８の対向する先端側に前杆１７、後端側に軸部１０を夫々架橋してなる構成である。
【００２３】
そして、前記枠体１の軸部１０は、前記図４に示すように、軸中央部１４と両端部１５との間に段差１６を形成し、前記軸中央部１４には、長手方向に亘って、斜め下方に傾斜した傾斜面１１を形成している。また、枠体１の先端部１２には、前記前杆１７とは別に、前記二本の側杆１８間に架橋して前杆に平行する曲面状案内部１３を設けた構成である。
【００２４】
次に、前記留金２は、図５に示すように、前記軸部１０に対して回動可能に取付けられる杆部２０と、該杆部２０の先端に、杆部延長ラインＬに対して鋭角α（本実施例では７０度程度）で起立して設けられる起立掛止部２１とからなり、前記杆部２０は、前後方向に移動可能となる移動手段を備えている。
該前後方向の移動手段は、図６に示すように、長穴状の軸穴２２を形成する杆部本体２６と、図７に示すカバー２５によって、軸穴２２内にバネ付勢される軸押圧手段を形成してなる。
【００２５】
ここで、前記軸押圧手段は、圧縮バネであるバネ部材２３と該バネ部材２３の先端に取付けられる軸押圧体２４とからなる。軸押圧体２４は、軸部１０の杆部取付位置に形成される傾斜面１１に対して垂直に押圧可能な押圧面２７を備えている。
尚、カバー２５の側壁２５１を杆部本体２６の中央側部２６１に沿わせてカバー２５のピン穴２５０と杆部本体２６のピン穴２６０を一致させ、固定ピン２８で前記ピン穴２５０、２６０を連通することにより、カバー２５を杆部本体２６に対して固着する。
【００２６】
ベルト３の装着状態において、ベルト３は湾曲せずに略直線状として配置されており、前記軸押圧体２４は、傾斜面１１と外周面との境界ラインと接する状態でバネ付勢され、ベルト３の掛止穴３３に起立掛止部１２が嵌り込んだ状態が維持され、起立掛止部１２の先端が、曲面状案内部１３の上側に当接している。
【００２７】
ベルト３の係合を解く場合には、枠体１内に位置するベルト３を表面側から指４等で押圧することにより、図３に示すように、留金２の起立掛止部２１は曲面状案内部１３にガイドされて滑るとともに、該留金２の杆部２０においては、バネ部材２３が圧縮され、軸押圧体２４が軸部１０を押圧し、押圧面２７と傾斜面１１とが接する状態となり、軸部１０に対して留金２が後方へ移動する。移動量は本実施例においては２ミリメートル乃至３ミリメートル程度である。
【００２８】
軸部１０に対する留金２の後方への移動により、留金２の起立掛止部２１は曲面状案内部１３を超えて、裏面側へ移動する。起立掛止部２１は、該杆部２０の先端に、杆部延長ラインＬに対して鋭角で起立して設けられていることから、締付けられていたベルト３の復元力によって移動するベルト３の軌跡が掛止穴３３から起立掛止部２１を抜く方向と略一致することによって、留金２の起立掛止部２１は、ベルト３の掛止穴３３から容易に離脱する。
【００２９】
本考案に係る衣服用ベルトバックル５は、ベルト３を掛止する際においても、操作性は良く、上記脱着操作と逆手順、即ち、枠体１の裏面側に位置する留金２と、枠体１との間にベルト先端３０を通して、（必要に応じて、更にベルト通し環部３１にベルト先端を通し、）ベルト３の下方から該ベルト３の掛止穴３３に対して起立掛止部２１を挿入し、そのまま表面側へ起立掛止部２１を押し上げる。
【００３０】
起立掛止部２１の押し上げの際には、脱着時と同様に、留金２の起立掛止部２１は曲面状案内部１３にガイドされて滑るとともに、該留金２の杆部２０においては、バネ部材２３が圧縮され、軸押圧体２４が軸部１０を押圧し、押圧面２７と傾斜面１１とが接する状態となり、軸部１０に対して留金２が後方へ移動する。そして、軸部１０に対する留金２の後方への移動により、留金２の起立掛止部２１は曲面状案内部１３を超えて、表面側へ移動するのである。
【００３１】
一方、本考案の実施例においては、ベルトの先端を締付方向へ引くことによって、枠体と留金が一体となって軸部を中心として裏向きに反転し、反転した状態で留金とベルトの係止穴とが離脱することによって、第二の方法によるベルトの係合解除が可能である。この脱着方法を用いることによっても、ベルトの傷付き等を生じさせずに、好みや状況に応じた係合の解除を、安全に行うことができる。
【００３２】
この場合には、一旦ベルトの先端を締付方向へ引き、留金とベルトの係止穴とが離脱した状態からベルトを緩める方向に押し戻すことで、ベルトを脱着することができる。本方法による脱着の場合、起立掛止部２１は枠体の表面側に位置することとなるから、再度着用する際に、起立掛止部２１を枠体の裏側へ押し込んで使用する。
【００３３】
本考案における実施例では、軸部１０は傾斜面１１を有するものとしているが、本考案はこれに限らず、軸部１０は単なる円柱状とすることもできる。しかしながら、上記実施例のように軸部１０に斜め下方に傾斜した傾斜面１１を形成することによって、脱着時に衣服用ベルトバックル５の開放状態を容易に維持することができることから、非常に操作性を向上させることができるのである。
【００３４】
また、本実施例においては、枠体１の先端部１２に、起立掛止部２１をガイドする曲面状案内部１３を形成しているが、該曲面状案内部１３は、回動可能若しくは回動しない軸体を用いたり、該軸体のその外周面に当接する円筒状のローラー筒を設けた構成とすることもできる。
【００３５】
また、曲面状案内部１３は、上記実施例に限らず、枠体１の先端部１２に別途設けられるもののみならず、例えば、図９に示すように、枠体１自体の先端部側が曲面状案内部１３を兼ねたもの（例えば、前杆１７の内側を蒲鉾型等とした形状等）も含む趣旨であり、また、本考案における曲面状案内部が軸体又はその外周面にローラー筒を備える構成とは、図９に示す枠体１自体の先端部側が曲面状案内部１３を兼ねたものを軸体として、その外周面に当接する円筒状のローラー筒を設けることも含む趣旨である。
【００３６】
更に、曲面状案内部１３は必ずしも側杆１８間に架橋する必要はなく、例えば、前杆の一部のみに形成することもできる。
【００３７】
一方、上記実施例においては、ベルト通し環部３１及びベルト連結体３２はベルト３側に設ける構成としたが、本考案においては、上記実施例に限らず、バックル自体にベルト通し環部３１及びベルト連結体３２を設けてることもでき、一例として、バックルの枠体１とベルト連結体３２とを連結一体とすることもできる。
【００３８】
また、枠体１の材質は、特に限定するものではなく、実施例に開示した金属のみならず、合成樹脂等を利用することができる。
【図面の簡単な説明】
【００３９】
【図１】本考案の実施例に係る衣服用ベルトバックルの掛止状態を示す斜視図である。
【図２】本考案の実施例に係る衣服用ベルトバックル開放状態を示す斜視図である。
【図３】本考案の実施例に係る衣服用ベルトバックルの掛止状態から開放状態への移行を示す一部断面とした説明図である。
【図４】本考案の実施例に係る衣服用ベルトバックルにおける枠体を示す平面図及びＡ−Ａ断面図である。
【図５】本考案の実施例に係る衣服用ベルトバックルにおける杆部を示す平面図及び正面図である。
【図６】本考案の実施例に係る後記杆部本体２６を示す側面図及びＢ−Ｂ断面図である。
【図７】本考案の実施例に係るカバーを示す側面図、平面図及びＣ−Ｃ断面図である。
【図８】本考案の実施例に係る衣服用ベルトバックルを備えたベルトを示す一部省略した平面説明図である。
【図９】本考案の他の実施例に係る衣服用ベルトバックルにおける枠体を示す平面図及びＤ−Ｄ断面図である。
【符号の説明】
【００４０】
１      枠体
１０    軸部
１１    傾斜面
１２    先端部
１３    曲面状案内部
１４    軸中央部
１５    端部
１６    段差
１７    前杆
１８    側杆
２      留金
２０    杆部
２１    起立掛止部
２２    軸穴
２３    バネ部材
２４    軸押圧体
２５    カバー
２５０  ピン穴
２５１  側壁
２６    杆部本体
２６０  ピン穴
２６１  中央側部
２７    押圧面
２８    固定ピン
３      ベルト
３０    ベルト先端
３１    ベルト通し環部
３２    ベルト連結体
３３    掛止穴
４      指
５      衣服用ベルトバックル
Ｌ      杆部延長ライン
α      鋭角
【図１】
0003107371.tif 000003
【図２】
0003107371.tif 000004
【図３】
0003107371.tif 000005
【図４】
0003107371.tif 000006
【図５】
0003107371.tif 000007
【図６】
0003107371.tif 000008
【図７】
0003107371.tif 000009
【図８】
0003107371.tif 000010
【図９】
0003107371.tif 000011